(57)【要約】【課題】シーリングファンの取付け作業性を向上できるとともに、落下を防ぐことができるシーリングファンの支持装置を提供することを目的とする。【解決手段】吊下具４と分離可能に支持される形状で当接部５を有した固定金具６と、固定金具６により包囲され天井面に固定される形状で突設するハンガー部８を有した引掛シーリング９とを備え、固定金具６の当接部５が引掛シーリング９のハンガー部８に係止できるように、当接部５をハンガー部８の直近上方に配置することにより、ブレード１を設けたモータ２からなるシーリングファン１０の取付け作業性を向上できるとともに、落下を防ぐことができるシーリングファンの支持装置が得られる。【選択図】図１
2007309161.tif 000002
【特許請求の範囲】
【請求項１】
複数のブレードを固定するアウタロータ型のモータと、このモータの中心の上部に突出したパイプ状の固定軸と、この固定軸の上部に結合する吊下具と、この吊下具と分離可能に支持される形状で当接部を有した固定金具と、この固定金具により包囲され天井面に固定される形状で突設するハンガー部を有した引掛シーリングとを備え、前記固定金具の当接部が前記引掛シーリングのハンガー部に係止できるように、前記当接部を前記ハンガー部の直近上方に配置したシーリングファンの支持装置。
【請求項２】
当接部を、固定金具の上部内周に張り出した円環形状とするとともに、取り付け時に引掛シーリングのハンガー部を逃すための切欠部を設け形成した請求項１記載のシーリングファンの支持装置。
【請求項３】
当接部を、固定金具の上部内周に張り出す一対の突片により形成した請求項１記載のシーリングファンの支持装置。
【請求項４】
当接部を、略円筒状の固定金具の相対する側面に平面部を設け、前記平面部の一部を切り起こして形成した請求項１または３記載のシーリングファンの支持装置。
【請求項５】
引掛シーリングのハンガー部に上方に折り曲げた係合突部を設け、固定金具の当接部に、前記係合突部が挿入可能な開口部を形成した請求項１〜４いずれかに記載のシーリングファンの支持装置。
【請求項６】
当接部を、天井面に接する固定金具の上端面と同一平面に設けた請求項１〜５いずれかに記載のシーリングファンの支持装置。
【請求項７】
引掛シーリングのハンガー部に、上方に折り曲げた係合突部を設け、固定金具の当接部に、水平面で回動したときに、前記係合突部が挿入可能な切欠溝を設けた請求項１〜４いずれかに記載のシーリングファンの支持装置。
【請求項８】
引掛シーリングの外径よりやや大きな間隔で対向する少なくとも一対のガイド部を固定金具に設けた請求項１〜７いずれかに記載のシーリングファンの支持装置。
【請求項９】
固定金具の当接部の近傍に第１の取付孔を設け、前記固定金具のガイド部に第２の取付孔を設けた請求項８記載のシーリングファンの支持装置。
【請求項１０】
固定金具の側面にキャノピーが係合する係合孔を設けた請求項１〜９いずれかに記載のシーリングファンの支持装置。
【請求項１１】
垂下方向に突起を有する吊下具と、前記突起を挿入可能な位置決め孔を有する固定金具とを備え、前記固定金具と前記吊下具を段付ねじにより水平方向に連結可能とし、前記段付ねじの段部径より大きい段付ねじ孔を前記固定金具に設けた請求項１記載のシーリングファンの支持装置。
【発明の詳細な説明】
【技術分野】
【０００１】
本発明は、天井面に取り付けられるシーリングファンの支持装置に関する。
【背景技術】
【０００２】
従来、この種のシーリングファンの一例として天井から支持部材により吊下げられる天井扇が知られている（例えば、特許文献１参照）。
【０００３】
以下、その天井扇について図１７を参照しながら説明する。
【０００４】
図に示すように、キャノピー１０１の内側の簡易取付金具１０２がパイプの支持部材１０３のハンガー１０４と係合固着され、支持部材１０３には固定子１０５が固着され、モータの外側回転体１０６には羽根１０７が設けられ、簡易取付金具１０２の内側には天井に取り付けられたシーリング１０８が配置され、そこから引き出される電源コード１０９はパイプの支持部材１０３の中空を通って制御基板１１０およびモータの固定子１０５に電力を供給するように構成されている。
【特許文献１】特開平１１−２１０６７８号公報（［００１１］〜［００１４］、図２）
【発明の開示】
【発明が解決しようとする課題】
【０００５】
このような従来の天井扇では、天井扇の落下に対する安全性が考慮されていないという課題があり、落下を防ぐことができる支持装置が要求されている。
【０００６】
また、電源コード１０９の配線が必要で取付工事が容易でないという課題があり、取り付け作業性を向上することが要求されている。
【０００７】
本発明は、このような従来の課題を解決するもので、シーリングファンの支持装置を提供することを目的としている。
【課題を解決するための手段】
【０００８】
本発明のシーリングファンの支持装置は上記目的を達成するために、複数のブレードを固定するアウタロータ型のモータと、このモータの中心の上部に突出したパイプ状の固定軸と、この固定軸の上部に結合する吊下具と、この吊下具と分離可能に支持される形状で当接部を有した固定金具と、この固定金具により包囲され天井面に固定される形状で突設するハンガー部を有した引掛シーリングとを備え、前記固定金具の当接部が前記引掛シーリングのハンガー部に係止できるように、前記当接部を前記ハンガー部の直近上方に配置したものである。
【０００９】
この手段により、取り付け作業性を向上できるとともに、シーリングファンの落下を防ぐことができるシーリングファンの支持装置が得られる。
【００１０】
また、他の手段は、当接部を、固定金具の上部内周に張り出した円環形状とするとともに、取り付け時に引掛けシーリングのハンガー部を逃がすための切欠部を設け形成したものである。
【００１１】
この手段により、落下に対する安全性を確保することができるシーリングファンの支持装置が得られる。
【００１２】
また、他の手段は、当接部を、固定金具の上部内周に張り出す一対の突片により形成したものである。
【００１３】
この手段により、固定金具の軽量化を図れるとともに、製造コストを安価にすることができるシーリングファンの支持装置が得られる。
【００１４】
また、他の手段は、当接部を、略円筒状の固定金具の相対する側面に平面部を設け、前記平面部の一部を切り起こして形成したものである。
【００１５】
この手段により、施工時の設置間違いや施工バラツキを小さくできるとともに、材料コストを抑えることができるシーリングファンの支持装置が得られる。
【００１６】
また、他の手段は、引掛けシーリングのハンガー部に上方に折り曲げた係合突部を設け、固定金具の当接部に、前記係合突部が挿入可能な開口部を形成したものである。
【００１７】
この手段により、固定金具の取付時の位置決めが容易となり作業性を向上できるとともに、シーリングファンの落下を未然に防止して安全性の向上を図れるシーリングファンの支持装置が得られる。
【００１８】
また、他の手段は、当接部を、天井面に接する固定金具の上端面と同一平面に設けたものである。
【００１９】
この手段により、施工性が向上するとともに、プレス加工もしやすく製造コストを抑えることのできるシーリングファンの支持装置が得られる。
【００２０】
また、他の手段は、引掛シーリングのハンガー部に、上方に折り曲げた係合突部を設け、固定金具の当接部に、水平面で回動したときに、前記係合突部が挿入可能な切欠溝を設けたものである。
【００２１】
この手段により、作業性をさらに向上できるとともに、シーリングファンの落下を防止して安全性の向上が図れるシーリングファンの支持装置が得られる。
【００２２】
また、他の手段は、引掛シーリングの外径よりやや大きな間隔で対向する少なくとも一対のガイド部を固定金具に設けたものである。
【００２３】
この手段により、施工性が向上するとともに、固定金具の当接部と引掛シーリングのハンガー部との相対位置を正確に保つことができるシーリングファンの支持装置が得られる。
【００２４】
また、他の手段は固定金具の当接部の近傍に第１の取付孔を設け、前記固定金具のガイド部に第２の取付孔を設けたものである。
【００２５】
この手段により、落下に対する安全性をより向上させることができるシーリングファンの支持装置が得られる。
【００２６】
また、他の手段は、固定金具の側面にキャノピーが係合する係合孔を設けたものである。
【００２７】
この手段により、キャノピーの仮固定ができ、施工が容易となるシーリングファンの支持装置が得られる。
【００２８】
また、他の手段は、垂下方向に突起を有する吊下具と、前記突起を挿入可能な位置決め孔を有する固定金具とを備え、前記固定金具と前記吊下具を段付ねじにより水平方向に連結可能とし、前記段付ねじの段部径より大きい段付ねじ孔を前記固定金具に設けたものである。
【００２９】
この手段により、シーリングファンが落下するのを防ぐことができるとともに、シーリングファン運転時の振動が天井面に伝わり難くなるシーリングファンの支持装置が得られる。
【発明の効果】
【００３０】
本発明によれば、取り付け作業性を向上できるとともに、シーリングファンの落下を防ぐことができる効果のあるシーリングファンの支持装置を提供できる。
【００３１】
また、固定金具の軽量化を図れるとともに、製造コストを安価にすることができる効果のあるシーリングファンの支持装置を提供できる。
【００３２】
また、施工時の設置間違いや施工バラツキを小さくできるとともに、材料コストを抑えることのできる効果のあるシーリングファンの支持装置を提供できる。
【００３３】
また、固定金具の取付時の位置決めが容易となり作業性を向上できる効果のあるシーリングファンの支持装置を提供できる。
【００３４】
また、施工性が向上するとともに、製造コストを抑えることができる効果のあるシーリングファンの支持装置を提供できる。
【００３５】
また、固定金具の当接部と引掛シーリングのハンガー部との相対位置を正確に保つことができる効果のあるシーリングファンの支持装置を提供できる。
【００３６】
また、仮固定ができ施工が容易となる効果のあるシーリングファンの支持装置を提供できる。
【００３７】
また、シーリングファンの運転時の振動が天井面に伝わり難くなる効果のあるシーリングファンの支持装置を提供できる。
【発明を実施するための最良の形態】
【００３８】
本発明の請求項１記載の発明は、複数のブレードを固定するアウタロータ型のモータと、このモータの中心の上部に突出したパイプ状の固定軸と、この固定軸の上部に係合する吊下具と分離可能に支持される形状で当接部を有した固定金具と、この固定金具により包囲され天井面に固定される形状で突設するハンガー部を有した引掛シーリングとを備え、前記固定金具の当接部が前記引掛シーリングのハンガー部に係合できるように、前記当接部を前記ハンガー部の直近上方に配置したものであり、シーリングファンを天井面に固定する固定金具の当接部が、引掛シーリングのハンガー部に係止できることにより、固定金具を天井面に取り付けるときに仮置きできるので、取り付け作業性を向上できるとともに、もし固定金具の取り付けねじが破損した場合であっても、固定金具の当接部が引掛シーリングのハンガー部に引っかかって保持されるので、シーリングファンの落下を防ぐことができるという作用を有する。
【００３９】
また、請求項３記載の発明は、当接部を、固定金具の上部内周に張り出した円環形状で取り付け時に引掛けシーリングのハンガー部を逃がすための切欠部を設けたものであり、固定金具の切欠き部を通して引掛シーリングのハンガー部を逃がすようにして天井面に近接させ、水平面で回動させたあと、天井面にねじ止め固定することにより、ねじ止め位置の制約が少なく取り付け作業が容易であるとともに、引掛シーリングのハンガー部に係止可能な当接部が略全周にあり、引掛シーリングのハンガー部に係止される範囲が広いので、落下に対する安全性を確保することができるという作用を有する。
【００４０】
また、請求項３記載の発明は、当接部を、固定金具の上部内周に張り出す一対の突片により形成したものであり、引掛シーリングのハンガー部に係止可能な当接部を一対の突片とすることにより、固定金具の軽量化を図れるとともに、加工作業が容易となり製造コストを安価にすることができるという作用を有する。
【００４１】
また、請求項４記載の発明は、当接部を、略円筒状の固定金具の相対する側面に平面部を設け、前記平面部の一部を切り起こして形成したものであり、引掛シーリングの外周を囲む固定金具の上部は略円筒状であるが、固定金具の相対する側面の２箇所に平面部を形成し、この平面部の一部を切り起こし加工することにより、内周側に当接部を突設して引掛シーリングのハンガー部に係止可能とすることで、同一材料の１部品で製造可能となるので、施工時の設置間違いや施工バラツキを小さくできるとともに、材料コストを抑えることができるという作用を有する。
【００４２】
また、請求項５記載の発明は、引掛シーリングのハンガー部に上方に折り曲げた係合突部を設け、固定金具の当接部に、前記係合突部が挿入可能な開口部を形成したものであり、固定金具に、引掛シーリングのハンガー部の係合突起が挿入可能な開口部を有する当接部を設けることで、固定金具の取付時の位置決めが容易となり、作業性を向上できるとともに、また、万一ハンガー部の取付用ねじが破損したときに、固定金具がずれ下がると当接部の開口部が確実に係合突部に引掛かることとなり、シーリングファンの落下を未然に防止して安全性の向上が図れるという作用を有する。
【００４３】
また、請求項６記載の発明は、当接部を、天井面に接する固定金具の上端面と同一平面に設けたものであり、天井面と同一平面に、引掛シーリングのハンガー部に係合可能な当接部を設けることにより、施工性が向上するとともに、プレス加工もしやすく製造コストを抑えることができるという作用を有する。
【００４４】
また、請求項７記載の発明は、引掛シーリングのハンガー部に、上方に折り曲げた係合突部に、水平面で回動したときに、前記係合突部が挿入可能な切欠溝を設けたものであり、固定金具を天井面に近づけて水平面上で回動したときに、引掛シーリングのハンガー部の係合突部が当接部の切欠溝に挿入されるとともに、切欠溝の一端に当接して所定位置に停止できるので、固定金具を上下に移動せずに取付時の位置決めが可能となり、作業性をさらに向上できるとともに、もしハンガー部の取付用ねじの破損した場合であっても、固定金具がずれ下がると当接部の切欠溝が確実に係合突部に引掛かることとなり、シーリングファンの落下を防止して安全性の向上が図れるという作用を有する。
【００４５】
また、請求項８記載の発明は、引掛シーリングの外径よりやや大きな間隔で対向する少なくとも一対のガイド部を固定金具に設けたものであり、引掛シーリングの外径よりやや大なる内径のガイド部を設けることにより、固定金具の当接部を引掛シーリングのハンガー部へと確実に案内できるため、固定金具を容易に取付けることができ、施工性が向上するとともに、固定金具の当接部と引掛シーリングのハンガー部との相対位置を正確に保つことができるという作用を有する。
【００４６】
また、請求項９記載の発明は、固定金具の当接部の近傍に第１の取付孔を設け、前記固定金具のガイド部に第２の取付孔を設けたものであり、固定金具の当接部の近傍には第１の取付孔を設けているが、ガイド部に第２の取付孔を設けることにより、第２の取付孔を通して木ねじ等により天井面に締め付けて、天井面への固定をさらに強化することができ、落下に対する安全性をより向上させることができるという作用を有する。
【００４７】
また、請求項１０記載の発明は、固定金具の側面にキャノピーが係合する係合孔を設けたものであり、固定金具の外郭となるキャノピーを取り付ける際、固定金具の略円筒状の側面に、キャノピーを係合可能な係合孔を設けることにより、キャノピーのピンを係合孔に差し込むことで仮固定ができ、施工が容易になるという作用を有する。
【００４８】
また、請求項１１記載の発明は、垂下方向に突起を有する吊下具と、前記突起を挿入可能な位置決め孔を有する固定金具とを備え、前記固定金具と前記吊下具を段付ねじにより水平方向に連結可能とし、前記段付ねじの段部径より大きい段付ねじ孔を前記固定金具に設けたものであり、固定金具と吊下具を段付ねじを介して連結することで、固定金具から吊下具が脱落し、シーリングファンが落下することを防ぐことができるとともに、固定金具の段付ねじ取付用の段付ねじ孔を段付ねじの段部径より大きくすることで、完全な結合状態とはならないようにして、シーリングファンの運転時の振動が天井面に伝わり難くなるという作用を有する。
【００４９】
以下、本発明の実施の形態について図面を参照しながら説明する。
【００５０】
（実施の形態１）
図１〜図６に示すように、複数のブレード１を固定するアウタロータ型のモータ２と、モータ２の中心の上部に突出したパイプ状の固定軸３と、固定軸３の上部に結合する吊下具４と、吊下具４と分離可能に支持される形状で当接部５を有した固定金具６と、固定金具６により包囲され天井面７に固定される形状で突設する端部がＬ形のハンガー部８を有した引掛シーリング９とを備え、固定金具６の当接部５が引掛シーリング９のハンガー部８に係止できるように当接部５をハンガー部８の直近上方に配置しシーリングファン１０を構成する。
【００５１】
上記構成において、シーリングファン１０を天井面７に固定する固定金具６の当接部５が引掛シーリング９のハンガー部８に係止できることにより、固定金具６を天井面７に取り付けるときに仮置き出来るので取り付け作業性を向上でき、また、万一固定金具６の取り付けねじが破損した場合でも、固定金具６の当接部５が引掛シーリング９のハンガー部８に引っ掛かって保持されるのでシーリングファン１０の落下を防ぐことができることとなる。
【００５２】
（実施の形態２）
図４に示すように、当接部５Ａを、固定金具６Ａの上部内周に張り出した円環形状で取り付け時には、実施の形態１で示す引掛シーリング９のハンガー部８を逃がすための切欠部１１を設け構成する。
【００５３】
上記構成において、固定金具６Ａの切欠部１１を通して実施の形態１で示す引掛シーリング９のハンガー部８を逃がすようにして天井面に近接させ、水平面で少し回動させたあと、天井面にねじ止め固定することにより、ねじ止め位置の制約が少なく取り付け作業が容易であるとともに、引掛シーリング９のハンガー部８に係止可能な当接部５Ａが略全周にあり、引掛シーリング９のハンガー部８に係止される範囲が広いので落下に対する安全性を確保することができることとなる。
【００５４】
（実施の形態３）
図５に示すように、当接部５Ｂを、固定金具６Ｂの上部内周に張り出す一対の突片１２により形成し構成する。
【００５５】
上記構成において、実施の形態１に示す引掛シーリング９のハンガー部８に係止可能な当接部５Ｂを一対の突片１２とすることにより、固定金具６Ｂの軽量化を図れるとともに、加工作業が容易となり、製造コストを安価にすることができることとなる。
【００５６】
（実施の形態４）
図６に示すように、当接部５Ｃを、固定金具６Ｃの相対する側面に平面部１３を設け、平面部１３の一部を切り起こして形成した構成とする。
【００５７】
上記構成において、実施の形態１で示す引掛シーリング９の外周を囲む固定金具６Ｃの上部は略円筒状であるが、固定金具６Ｃの相対する側面の２箇所に平面部１３を形成し、この平面部１３の一部を切り起こし加工することにより、内周側に当接部５Ｃを突設して実施の形態１で示す引掛シーリング９のハンガー部８に係止可能とすることで、同一材料の１部品で製造可能となるので、施工時の設置間違いや施工バラツキを小さくできるとともに、材料コストを抑えることができることとなる。
【００５８】
（実施の形態５）
図７および図８に示すように、引掛シーリング９Ａのハンガー部８Ａに、上方に折り曲げた係合突部１４を設け、固定金具６Ｄの当接部５Ｄに、係合突部１４が挿入可能な開口部１５を形成し構成する。
【００５９】
上記構成において、固定金具６Ｄに引掛シーリング９Ａのハンガー部８Ａの係合突部１４が挿入可能な開口部１５を有する当接部５Ｄを設けることで、固定金具６Ｄの取付時の位置決めが容易となり、固定金具６Ｄの仮置きができるので作業性を向上できるとともに、もしハンガー部８Ａの取付用のねじが破損したときであっても、固定金具６Ｄがずれ下がると当接部５Ｄの開口部１５が確実に係合突部１４に引っ掛かることとなり、シーリングファンの落下を未然に防止して安全性の向上が図れることとなる。
【００６０】
（実施の形態６）
図９に示すように、当接部５Ｅを、天井面に接する固定金具６Ｅの上端面１６と同一平面に設け構成する。
【００６１】
上記構成において、天井面と同一平面に、実施の形態１に示す引掛シーリング９のハンガー部８に係合可能な当接部５Ｅを設けることにより、施工性が向上するとともに、プレス加工が容易となり製造コストを抑えることができることとなる。
【００６２】
（実施の形態７）
図１０および図１１に示すように、実施の形態５に示す引掛シーリング９Ａのハンガー部８Ａに、上方に折り曲げた係合突部１４を設け、固定金具６Ｆの当接部５Ｆに、水平面で回動したときに、前記係合突部１４が挿入可能な切欠溝１７を設け構成する。
【００６３】
上記構成において、固定金具６Ｆを天井面に近づけて水平面上で回動したときに、引掛シーリング９Ａのハンガー部８Ａの係合突部１４が当接部５Ｆの切欠溝１７に挿入されるとともに、切欠溝１７の一端に当接して所定位置に停止できるので固定金具６Ｆを上下に移動せずに取付時の位置決めが可能となり、作業性をさらに向上でき、もしハンガー部８Ａの取付用ねじの破損したときであっても、固定金具６Ｆがずれ下がると当接部５Ｆの切欠溝１７が確実に係合突部１４に引っ掛かることとなり、シーリングファンの落下を防止して安全性の向上が図れることとなる。
【００６４】
（実施の形態８）
図１２に示すように、実施の形態５に示す引掛シーリング９Ａの外径よりやや大きな間隔で対向する少なくとも一対のガイド部１８を固定金具６Ｇに設け構成する。
【００６５】
上記構成において、実施の形態５に示す引掛シーリング９Ａの外径よりやや大なる内径がガイド部１８を設けることにより、固定金具６Ｇを水平面で回動するときにぶれが少なく、固定金具６Ｇの当接部５Ｇを引掛シーリング９Ａのハンガー部８Ａへと確実に案内できるため、固定金具６Ｇを容易に取付けることができ、施工性が向上するとともに、固定金具６Ｇの当接部５Ｇと引掛シーリング９Ａのハンガー部８Ａとの相対位置を正確に保つことができることとなる。
【００６６】
（実施の形態９）
図１３に示すように、固定金具６Ｈの当接部５Ｈの近傍に第１の取付孔１９を設け、固定金具６Ｈのガイド部１８Ａに第２の取付孔２０を設け構成する。
【００６７】
上記構成において、固定金具６Ｈの当接部５Ｈの近傍には第１の取付孔１９を設けているが、ガイド部１８Ａに第２の取付孔２０を設けることにより、第２の取付孔２０を通して木ねじ等により天井面に締め付けて、天井面への固定をさらに強化することができ、落下に対する安全性をより向上させることができることとなる。
【００６８】
（実施の形態１０）
図１４に示すように、固定金具６Ｊの側面にキャノピー２１に設けたピン２２が係合する係合孔２３を設け構成する。
【００６９】
上記構成において、固定金具６Ｊの外郭となるキャノピー２１を取り付ける際、固定金具６Ｊの略円筒状の側面に、キャノピー２１に設けたピン２２を係合可能な係合孔２３を設けることにより、キャノピー２１のピン２２を係合孔２３に差し込むことで仮固定ができ、施工が容易になることとなる。
【００７０】
（実施の形態１１）
図１５および図１６に示すように、垂下方向に突起２４を有する吊下具４Ａと、突起２４を挿入可能な位置決め孔２５を有する固定金具６Ｋとを備え、固定金具６Ｋと吊下具４Ａを段付ねじ２６により水平方向に連結可能とし、段付ねじ２６の段部径より大きい段付ねじ孔２７を固定金具６Ｋに設け構成する。
【００７１】
上記構成において、固定金具６Ｋと吊下具４Ａを段付ねじ２６を介して連結することで、固定金具６Ｋから吊下具４Ａが脱落することや、シーリングファンが落下することを防ぐことができるとともに、固定金具６Ｋの段付ねじ孔２７を段付ねじ２６の段部径より大きくすることで、完全な固着状態とならないように結合して、シーリングファン運転時の振動が天井面に伝わり難くなることとなる。
【産業上の利用可能性】
【００７２】
本発明にかかるシーリングファンの支持装置は、シーリングファンの取付け作業性を向上できるとともに、落下を防ぐことができる効果を奏し、天井直付けの施回扇や照明器の支持装置の分野にも有用である。
【図面の簡単な説明】
【００７３】
【図１】本発明の実施の形態１のシーリングファンの支持装置の分解斜視図
【図２】同シーリングファンの支持装置の側面図
【図３】同シーリングファンの支持装置の要部拡大図
【図４】本発明の実施の形態２のシーリングファンの支持装置の固定金具の斜視図
【図５】本発明の実施の形態３のシーリングファンの支持装置の固定金具の斜視図
【図６】本発明の実施の形態４のシーリングファンの支持装置の固定金具の斜視図
【図７】本発明の実施の形態５のシーリングファンの支持装置の固定金具の引掛シーリングの側面図
【図８】同シーリングファンの支持装置の固定金具の斜視図
【図９】本発明の実施の形態６のシーリングファンの支持装置の固定金具の斜視図
【図１０】本発明の実施の形態７のシーリングファンの支持装置の固定金具の斜視図
【図１１】同シーリングファンの支持装置の切欠溝を示す当接部の拡大図
【図１２】本発明の実施の形態８のシーリングファンの支持装置の固定金具の斜視図
【図１３】本発明の実施の形態９のシーリングファンの支持装置の固定金具の斜視図
【図１４】本発明の実施の形態１０のシーリングファンの支持装置のキャノピーの取付状態を示す斜視図
【図１５】本発明の実施の形態１１のシーリングファンの支持装置の吊下具の取付状態を示す要部断面図
【図１６】同シーリングファンの支持装置の吊下具の取付状態を示す要部断面図
【図１７】従来のシーリングファンの断面図
【符号の説明】
【００７４】
１      ブレード
２      モータ
３      固定軸
４      吊下具
４Ａ    吊下具
５      当接部
５Ａ    当接部
５Ｂ    当接部
５Ｃ    当接部
５Ｄ    当接部
５Ｅ    当接部
５Ｆ    当接部
５Ｈ    当接部
６      固定金具
６Ａ    固定金具
６Ｂ    固定金具
６Ｃ    固定金具
６Ｄ    固定金具
６Ｅ    固定金具
６Ｆ    固定金具
６Ｇ    固定金具
６Ｈ    固定金具
６Ｊ    固定金具
７      天井面
８      ハンガー部
８Ａ    ハンガー部
９      引掛シーリング
９Ａ    引掛シーリング
１０    シーリングファン
１１    切欠部
１２    突片
１３    平面部
１４    係合突部
１５    開口部
１６    上端面
１７    切欠溝
１８    ガイド部
１８Ａ  ガイド部
１９    第１の取付孔
２０    第２の取付孔
２１    キャノピー
２２    ピン
２３    係合孔
２４    突起
２５    位置決め孔
２６    段付ねじ
２７    段付ねじ孔
【図１】
2007309161.tif 000003
【図２】
2007309161.tif 000004
【図３】
2007309161.tif 000005
【図４】
2007309161.tif 000006
【図５】
2007309161.tif 000007
【図６】
2007309161.tif 000008
【図７】
2007309161.tif 000009
【図８】
2007309161.tif 000010
【図９】
2007309161.tif 000011
【図１０】
2007309161.tif 000012
【図１１】
2007309161.tif 000013
【図１２】
2007309161.tif 000014
【図１３】
2007309161.tif 000015
【図１４】
2007309161.tif 000016
【図１５】
2007309161.tif 000017
【図１６】
2007309161.tif 000018
【図１７】
2007309161.tif 000019